(57)【要約】【課題】リフィールの交換を簡単に行うことができると共に、操作性の優れた繰り出し式筆記具を提供する。【解決手段】繰り出し式筆記具Ｗに、上下両端に開口１１ａ、１１ｂが形成され、両端を貫通する貫通孔１１ｃが形成された筒状の外軸部１と、外軸部１の上端の開口１１ａから貫通孔１１ｃに、出し入れ自在に挿入されて外軸部１に収容される内軸部２と、内軸部２に保持されるリフィール３とを設ける。また、内軸部２の上端には、つまみ２３が取り付けられている。そして、つまみ２３を略直角に回転させることにより、外軸部１の下端の開口から、リフィール３の先端３１が繰り出されるようになされている。【選択図】図２
2010046837.tif 000002
【特許請求の範囲】
【請求項１】
上下両端に開口が形成され、該両端を貫通する貫通孔が形成された筒状の外軸部と、
前記外軸部の上端の開口から前記貫通孔に、出し入れ自在に挿入されて該外軸部に収容される内軸部と、
前記内軸部に保持されるリフィールとを備え、
前記内軸部は、
前記外軸部の貫通孔に嵌合される筒状の本体と、
前記本体の筒内に回転可能に収容され、その上端に該本体の上端から突出するつまみが取り付けられていると共に、その下端に斜面状の第１カム面が形成されている略柱状の回転軸と、
前記本体の筒内に、該本体の軸方向に移動可能に収容されたリフィール筒とを有し、
前記リフィール筒は、その上端に前記回転軸の第１カムに当接する斜面状の第２カム面が形成されていると共に、その下端に前記リフィールを着脱自在に保持する収容部が形成され、
前記つまみを略直角に回転させることにより、前記回転軸を介して、前記リフィール筒が前記本体の下端方向に押され、前記外軸部の下端の開口から、該リフィール筒が保持するリフィールの先端が繰り出されることを特徴とする繰り出し式筆記具。
【請求項２】
前記外軸部は、その内径形状が、円の両側を切り欠いた２面幅形状になされ、
前記回転軸の側面には、前記本体の軸方向と直交する方向に突出するスライドピンが取り付けられ、
前記本体の側面には、前記スライドピンが挿通される、該本体の周方向に長軸な長円形状のガイド孔が開口しており、
前記リフィールの先端が繰り出される場合には、前記回転軸に取り付けられたスライドピンの先端が、前記外軸部の内周面の２面幅部に圧入されることを特徴とする請求項１に記載の繰り出し式筆記具。
【請求項３】
前記本体のガイド孔の端部には、前記スライドピンを係止するための突起孔が形成されていることを特徴とする請求項２に記載の繰り出し式筆記具。
【発明の詳細な説明】
【技術分野】
【０００１】
本発明は、リフィールの交換が可能な繰り出し式筆記具に関する。
【背景技術】
【０００２】
従来から、リフィールの交換が可能な繰り出し式筆記具が数多く提案されている。
例えば、特許文献１には、ボールペン機構（或いはシャープペンシル機構）を備え、そのボールペン機構（或いはシャープペンシル機構）を交換することができる繰り出し式筆記具の構成が開示されている。
ここで、図１２を参照しながら、特許文献１に記載の繰り出し式の筆記具の構成を説明する。
【０００３】
図示するように、繰り出し式筆記具１００は、前端が開口した後部外筒１０２と、前後両端が開口した前部外筒１０３と、前部外筒１０３内に挿通されるボールペン機構１０４（或いはシャープペンシル機構１０５）とを有する。また、前部外筒１０３の前端部には、口金１０６が取り付けられている。
そして、ボールペン機構１０４は、コイルスプリングＳ1により後方に付勢された状態で前部外筒１０３内に収容され、前部外筒１０３の後端開口部から突出したボールペン機構１０４の後部は、前部外筒１０３の後端に後部外筒１０２の前端が螺合されることにより、後部外筒１０２に収容される。
【０００４】
そして、上記の構成の繰り出し式筆記具１００は、リフィールを交換する際には、ユーザは、前部外筒１０３から後部外筒１０２を取り外し、前部外筒１０３に挿入されているボールペン機構１０４を、他のボールペン機構１０４（或いはシャープペンシル機構１０５）と入れ替え、再度、前部外筒１０３に後部外筒１０２を取り付ける。
【０００５】
また、例えば、特許文献２には、リフィール交換が可能な回転式の繰り出し式筆記具の構成が開示されている。
ここで、図１３を参照しながら、特許文献２に記載された繰り出し式筆記具の構成を説明する。
【０００６】
図示するように、繰り出し式筆記具２００は、筒状の本体２１１と、本体２１１に螺合される筒状のキャップ２１３とにより構成されるカートリッジ（外軸部）２１０を備え、カートリッジ２１０の内部にリフィール（ボールペンの替え芯）が収容される。
また、カートリッジ２１０の内部には、本体２１１と、キャップ２１３とを相対的に回転させることにより、内部に収納したリフィールを繰り出すための、繰り出し機構（ネジ筒、案内筒、摺動筒等により構成されている）が設けられている。
そして、ユーザは、リフィール交換をする際には、本体２１１と、キャップ２１３とを分解し、リフィールを交換した上で、再度、本体２１１と、キャップ２１３とを組み立てる。
【０００７】
【特許文献１】特開２００７−５０６１０号公報
【特許文献２】特開平３−１４２２９７号公報
【発明の開示】
【発明が解決しようとする課題】
【０００８】
しかしながら、上述した従来技術による繰り出し式筆記具は、リフィール交換に手間がかかるという技術的課題を有している。
具体的には、特許文献１の繰り出し式筆記具は、前部外筒と後部外筒とを螺合させることにより固定している。
そのため、交換部品（ボールペン機構およびシャープペンシル機構）を取り換える際には、前部外筒と後部外筒とを回転させ（複数回転させる）、前部外筒から後部外筒を取り外す必要があった。また、交換部品を入れ替えた後においても、前部外筒に後部外筒を取り付けるために、前部外筒と後部外筒とを回転させて螺合させる必要であり面倒であった。また、前部外筒にボールペン機構を取り付ける際には、コイルスプリングを口金に装着する作業も必要であった。
なお、特許文献１の繰り出し式筆記具は、ボールペン機構とシャープペンシル機構とを交換できるようにするために、専用の形状に設計された交換部品（ボールペン機構およびシャープペンシル機構）が用いられている。
そのため、特許文献１の繰り出し式筆記具は、汎用品のリフィール（ボールペンの替え芯等）を取り付けることができないため、ユーザにとって不便であった。
【０００９】
また、特許文献２の繰り出し式筆記具は、上述した特許文献1のものと同様、本体とキャップとを螺合させる構成であるため、リフィールの交換作業が面倒であった。
また、特許文献２のような構成の繰り出し機構（ネジ筒、案内筒、摺動筒等により構成されている繰り出し機構）は、リフィールの先端のペン先を出し入れする際に、カートリッジを複数回転させなければならず、使用する際の操作性が悪いという技術的課題を有している。
【００１０】
本発明は、上記の技術的課題を解決するためになされたものであり、リフィールの交換を簡単に行うことができると共に、操作性の優れた繰り出し式筆記具を提供することを目的とする。
【課題を解決するための手段】
【００１１】
上記の技術的課題を解決するためになされた本発明は、繰り出し式筆記具であって、上下両端に開口が形成され、該両端を貫通する貫通孔が形成された筒状の外軸部と、前記外軸部の上端の開口から前記貫通孔に、出し入れ自在に挿入されて該外軸部に収容される内軸部と、前記内軸部に保持されるリフィールとを備える。
そして、前記内軸部は、前記外軸部の貫通孔に嵌合される筒状の本体と、前記本体の筒内に回転可能に収容され、その上端に該本体の上端から突出するつまみが取り付けられていると共に、その下端に斜面状の第１カム面が形成されている略柱状の回転軸と、前記本体の筒内に、該本体の軸方向に移動可能に収容されたリフィール筒とを有し、前記リフィール筒は、その上端に前記回転軸の第１カムに当接する斜面状の第２カム面が形成されていると共に、その下端に前記リフィールを着脱自在に保持する収容部が形成され、前記つまみを略直角に回転させることにより、前記回転軸を介して、前記リフィール筒が前記本体の下端方向に押され、前記外軸部の下端の開口から、該リフィール筒が保持するリフィールの先端が繰り出されることを特徴とする。
【００１２】
このように、本発明の繰り出し式筆記具は、リフィールを着脱自在に保持する内軸部が、外軸部の上端の開口から外軸部の内部に、出し入れ自在に収容できるように構成されている。
そのため、本発明によれば、上述した従来技術にように、リフィール交換の際に、２つの部品を螺合して組み立てられた本体部（外軸部）を回転させて分解する必要がないため、リフィールの交換の手間が軽減される。
また、本発明は、つまみを略直角に回転させることにより、回転軸を介して、リフィール筒が軸方向に押され、外軸部の下端の開口から、リフィール筒が保持するリフィールの先端が繰り出されるように構成されている。
このように、本発明によれば、つまみを鍵の開閉操作のように、略直角に回転させるという少ない動作でリフィールの先端を繰り出すことができる。すなわち、本発明によれば、リフィールの先端を容易に繰り出すことができる操作性に優れた繰り出し式筆記具を提供することができる。
【００１３】
また、前記外軸部は、その内径形状が、円の両側を切り欠いた２面幅形状になされ、前記回転軸の側面には、前記本体の軸方向と直交する方向に突出するスライドピンが取り付けられ、前記本体の側面には、前記スライドピンが挿通される、該本体の周方向に長軸な長円形状のガイド孔が開口しており、前記リフィールの先端が繰り出される場合には、前記回転軸に取り付けられたスライドピンの先端が、前記外軸部の内周面の２面幅部に圧入されることが望ましい。
この構成により、リフィールの先端が繰り出された状態を固定することができるため、繰り出し式筆記具を使用している際に、繰り出した先端が外軸部の内部に押し戻される可能性が軽減される。
【００１４】
また、前記本体のガイド孔の端部には、前記スライドピンを係止するための突起孔が形成されていることが望ましい。
このように、ガイド孔の端部に、スライドピンを係止するための突起孔を設けることにより、例えば、リフィールの先端が繰り出された状態を固定したり、或いは、外軸部に、リフィールの先端が収容された状態を固定することができる。
【発明の効果】
【００１５】
本発明によれば、リフィール交換を簡単に行うことができると共に、操作性に優れた繰り出し式筆記具を提供することができる。
【発明を実施するための最良の形態】
【００１６】
以下、本発明の実施形態の繰り出し式筆記具を図面に基づいて説明する。
先ず、本実施形態の繰り出し式筆記具の概略構成について、図１および図２に基づいて説明する。
なお、本実施形態は、繰り出し式筆記具がボールペンである場合を例にする。
図１は、本発明の実施形態の繰り出し式筆記具の外観図であり、図１（ａ）は、本実施形態の繰り出し式筆記具の正面図であり、図１（ｂ）は、本実施形態の繰り出し式筆記具の側面図である。
また、図２は、本発明の実施形態の繰り出し式筆記具の部品展開図である。
【００１７】
図2に示すように、繰り出し式筆記具Ｗは、上下両端に開口１ａ、１ｂが形成されていると共に、その両端の開口１ａ、１ｂを貫通する貫通孔１ｃが形成された筒状の外軸部１と、ボールペンリフィール（ボールペンの替芯：以下、単に「リフィール」という）３と、リフィール３を保持する内軸部２とを備えている。
なお、リフィール３には、塗布液が充填された収容管３２と、収容管３２の先端に取り付けられたボールペンチップ（ペン先）３１とを備えている周知の形状のものが用いられる（汎用品のリフィール３が用いられる）。
また、本実施形態では、外軸部１の上端に、クリップ１１が取り付けられているが、あくまでもこれは例示である（外軸部１にクリップ１１が取り付けられていなくてもよい）。
【００１８】
また、内軸部２は、その外径形状が外軸部１の貫通孔１ｃに嵌合する形状に形成されていると共に、上端部につまみ２３が取り付けられている。また、内軸部２は、リフィール３の後端部を着脱自在に保持すると共に、つまみ２３の回転に応じて、保持しているリフィール３を内軸部２の軸方向に沿って往復移動させることができるように形成されている。
そして、リフィール３を保持した内軸部２を、外軸部１の上端の開口１ａから貫通孔１ｃに挿入して収容すると、図１に示す状態になる。
また、繰り出し式筆記具Ｗは、外軸部１に収容されている内軸部２のつまみ２３を引っ張ることにより、外軸部１から内軸部２を引き出すことができるようになされている。すなわち、内軸部２は、外軸部１の上端の開口１ａから貫通孔１ｃに、出し入れ自在に形成されている。
このように、本実施形態によれば、リフィール３を保持した内軸部２を簡単に、外軸部１に収容し、或いは、外軸部１から引き出すことができるため、リフィール３の交換が簡単に行える。
【００１９】
また、繰り出し式筆記具Ｗは、つまみ２３を略直角に回転させることにより、外軸部１の下端の開口１ｂからペン先３１が繰り出されるようになされている。また、繰り出し式筆記具Ｗは、上記の回転させたつまみ２３を反転させて元の位置に戻すことにより（略直角に反転させて元の位置に戻す）、外軸部１の下端の開口１ｂから繰り出されたペン先３１が外軸部1の中に収容されるようになされている。
このように、本実施形態によれば、上述した図１３に示した繰り出し式筆記具のように、キャップを複数回転させる必要がなく、鍵の開閉操作のように、つまみ２３を略直角に回転させるだけで、ペン先３１の出し入れを行うことができる。
【００２０】
次に、本実施形態の繰り出し式筆記具Ｗを構成する各部品について詳細に説明する。
なお、リフィール３は、周知な構成であるためここでの説明は省略する。
先ず、外軸部１について、図１乃至図３に基づいて説明する。
なお、図３は、図２に示す外軸部の内径形状を示した模式図である。
外軸部１は、上述した通りであって、上下両端部に開口１ａ、１ｂが形成され、その両端の開口１ａ、１ｂを貫通する貫通孔１１ｃ（図２参照）が形成されている。
また、図３に示すように、外軸部１の内径形状は、円形ではなく、円の両側を切り欠いた形状（以下、「２面幅形状」という）に形成されている。すなわち、外軸部１の内径形状は、平行な２つの直線部１２と、２つの曲線部１３とで形成された２面幅形状に形成されている。
なお、外軸部１の外形形状はどのような形状に形成されていてもかまわない。
【００２１】
つぎに、内軸部２について、図４乃至図１０に基づいて説明する。
図４は、本発明の実施形態の繰り出し式筆記具の断面図であり、繰り出し式筆記具がペン先を収納した状態を示している。また、図５は、図４の断面図から内軸部を取り出して拡大して示した図である。
また、図６は、本発明の実施形態の繰り出し式筆記具の断面図であり、繰り出し式筆記具がペン先を繰り出した状態を示している。また、図７は、図６の断面図から内軸部を取り出して拡大して示した図である。
また、図８は、図５に示した状態の内軸部の外観図であり、図８（ａ）は、内軸部の正面図であり、図８（ｂ）は、内軸部の側面図である。また、図９は、図７に示した状態の内軸部の外観図であり、図９（ａ）は、内軸部の正面図であり、図９（ｂ）は、内軸部の側面図である。
また、図１０は、本実施形態の内軸部を構成するリフィール筒の斜視図である。
【００２２】
図４および図６に示すように、内軸部２は、リフィール３を保持した状態で、外軸部１の内部に収納される。
また、図５および図７に示すように、内軸部２は、外軸部１の貫通孔１ｃ（図２参照）に嵌合される略筒状の内軸本体２１と、内軸本体２１の筒内に回転可能に収容される回転軸２２と、回転軸２２の上端に取り付けられたつまみ２３と、内軸本体２１の筒内に収納されるリフィール筒２４と、リフィール筒２４を上方（図示するＹ１方向）に向けて付勢するスプリング２６と、回転軸２２の回転動作を案内するためのスライドピン２５と、リフィール筒２４の軸方向の移動を制限するための固定ピン２７とを有する。また、リフィール筒２４の下端部には、平面視上でドーナツ状の蓋体２８が取り付けられている。
【００２３】
具体的には、内軸本体２１は、上下両端部に開口が形成されていると共に、その上下両端の開口を貫通する案内孔２１ｄが形成されている。また、内軸本体２１は、その外径形状が外軸部１の貫通孔１ｃ（図３参照）に嵌合する2面幅形状になされている。
また、内軸本体２１の側面には、内軸本体２１の周方向（軸方向に直交する方向）に長軸の略長円状のガイド孔２１ａが形成されている（図５、図７、図８、図9参照）。このガイド孔２１ａには、回転軸２２に取り付けられたスライドピン２５が挿通される。
なお、図８および図９に示すように、ガイド孔２１ａは、その端部（図示する例では、左端部）に、スライドピン２５を係止して固定するための突起孔部２１ａ１が形成されている。
【００２４】
また、内軸本体２１の側面には、固定ピン２７を取り付けるための挿入孔２１ｂ（図８、図９参照）が形成されている。そして、挿入孔２１ｂに固定ピン２７の端部を挿入することにより、内軸本体２１に固定ピン２７が取り付けられる（固定ピン２７は、内軸本体２１の筒内を貫通している）。
また、内軸本体２１の下端側の内周面には、後述するリフィール筒２４の鍔部２４ａ２を摺動自在に案内する凹状部２１ｃ（図５、図７参照）が形成されている。また、内軸本体２１の下端は、案内孔２１ｄと略同径の孔が開口した蓋体２８が取り付けられる。
なお、蓋体２３の外径形状は、内軸本体２の外形形状と略同一形状になされている。すなわち、蓋体２３の外径形状は、外軸部１の貫通孔１ｃ（図３参照）に嵌合する２面幅形状になされている。
また、内軸本体２１は、どのような材質により形成されていてもよいが、例えば、金属により形成される。
【００２５】
また、図５および図７に示すように、回転軸２２は、内軸本体２１の案内孔２１ｄに回転自在に嵌装される略柱状になされ、その上端に略円柱状の先端軸２２ａが形成されていると共に、その下端に斜面状のカム面２２ｂが形成されている（なお、回転軸２２が回転するとカム面２２ｂが、後述するリフィール筒２４のカム面２４ａ１の上を滑り、これにより、ペン先３１の繰り出しストロークが確保される）。
そして、回転軸２２は、つまみ２３の底部に形成された取付穴２３ａに、先端軸２２ａが嵌合されることにより、つまみ２３に固定される。これにより、回転軸２２は、つまみ２３の回転に応じて回転する。
【００２６】
また、回転軸２２には、その側面を貫通するスライドピン２５が取り付けられている（スライドピン２５は、回転軸２２の軸方向と直交する方向に取り付けられている）。これにより、回転軸２２の外周側面から、スライドピン２５の両端部が突出する。
そして、回転軸２２を内軸本体２１の案内孔２１ｄに挿入すると共に、回転軸２２の外周側面から突出したスライドピン２５を、内軸本体２１のガイド孔２１ａに挿通することにより、回転軸２２が内軸本体２１に取り付けられる。回転軸２２に取り付けられたスライドピン２５と、ガイド孔２１ａとにより、回転軸２２の回転動作が制限される。
【００２７】
また、回転軸２２は、内軸本体２１に取り付けられた状態において、上端の先端軸２２ａが内軸本体２１の上端から突出するようになされている。そして、回転軸２２の先端軸２２ａに取り付けられたつまみ部２３を回転させると、それに応じて内軸本体２１内を回転軸２２が回転する。
なお、回転軸２２は、どのような材質により形成されていてもよいが、例えば、金属により形成される。また、スライドピンは、例えば、ポリアセタール（polyacetal）により形成される。
【００２８】
また、図５、図７、および図１０に示すように、リフィール筒２４は、内軸本体２１の貫通孔２１ｄに、内軸本体２１の軸方向を摺動自在に嵌装される柱状の押出部２４ａと、押出部２４ａの下面に形成された円筒状の円筒部２４ｂとを備える。
押出部２４ａは、その上端に回転軸２２のカム面２２ｂに当接する斜面状のカム面２４ａ１が形成されていると共に、その下端の外周側に鍔部２４ａ２が形成されている。
また、押出部２４ａには、内軸本体２１に取り付けられた固定ピン２７を挿通させる軸方向に長軸の略長円状のガイド孔２４ａ３が形成されている。
そして、リフィール筒２４は、内軸本体２１の案内孔２１ｄ内に挿入されると共に、ガイド孔２４ａ３に、内軸本体２１の取り付けられた固定ピン２７が挿通されることにより内軸本体２１に取り付けられる。
【００２９】
また、リフィール筒２４は、内軸本体２１の内部において、鍔部２４ａ２が凹状部２１ｃと相対向するように配置される。また、鍔部２４ａ２の下面と、内軸本体２１の下端に取り付けた蓋体２８の上端部２８ａと間にスプリング２６が配設される。この構成により、リフィール筒２４は、スプリング２６により、上方に向けて付勢される。
【００３０】
また、リフィール筒２４の円筒部２４ｂは、中空の収容部２４ｂ２を有し、その下面に収容部２４ｂ２と連通する開口２４ｂ１が形成されている。また、円筒部２４ｂの内周面は、リフィール３の後端部と嵌合する形状になされている。
そして、リフィール３の後端部を開口２４ｂ１から収容部２４ｂ２に挿入することにより、リフィール３の後端部が円筒部２４ｂ１に嵌合される（これにより、内軸部２にリフィール３が取り付けられる）。
なお、リフィール筒２４は、例えば、ポリアセタールにより形成される。また、固定ピン２７は、リフィール筒２４を削らない材料であればどのよう材質により形成されていてもよい。
【００３１】
つぎに、本実施形態の繰り出し式筆記具Ｗのペン先３１の繰り出し動作について図４乃至図９を用いて説明する。
具体的には、図８に示すように、つまみ２３の正面を内軸本体２１の正面に向けると、図４および図５に示す位置に回転軸２２が配置される。この場合、リフィール筒２４は、回転軸２２からの荷重を受けず、スプリング２６からの荷重だけを受け、上方向（Ｙ1方向）に付勢される。これにより、リフィール筒２４が保持するリフィール３も上方向（Ｙ1方向）に押し上げられ、外軸部１の内部にペン先３１が収納された状態になる。
また、この場合、図５に示すように、リフィール筒２４のガイド孔２４ａ３の下端に、固定ピン２７が当接する。そして、これにより、リフィール筒２４の上方向（Ｙ１方向）の動作が制限される（ペン先３１が上方に上がり過ぎない）。
また、図８に示すように、スライドピン２５は、ガイド孔２１ａの右端に当接した状態になる。これにより、つまみ２３の回転が制限されるため、ユーザが不要につまみ２３を回転できなくなる。
【００３２】
そして、本実施形態の繰り出し式筆記具Ｗは、図８に示すつまみ２３の位置から、つまみ２３を略直角（９０度）回転させることにより、外軸部１からペン先３１を繰り出すことができるようになされている。
具体的には、図８に示すつまみ２３の位置から、つまみ２３を略直角（９０度）回転させると、それに伴い回転軸２２のカム面２２ｂが回転して、リフィール筒２４の上端のカム面２４ａ１を下方向（Ｙ２方向）に付勢する。
これにより、図６および図７に示す位置に回転軸２２が配置される。この場合、つまみ２３は、図９に示すように、その側面が内軸本体２１の正面に向けられる。
すなわち、図８に示すつまみ２３の位置から、つまみ２３を略直角（９０度）回転させると、リフィール筒２４が下方向（Ｙ２方向）に付勢され、それに伴い、リフィール筒２４が保持するリフィール３も下方向（Ｙ２方向）に押し下げられ、外軸部１からペン先３１が繰り出される。
【００３３】
また、本実施形態では、図９に示す位置まで、つまみ２３を回転させると、回転軸２２に取り付けられたスライドピン２５が、内軸本体２１のガイド孔２１ａに沿って移動し、ガイド孔２１ａの左端部に形成された突起孔部２１ａに当接する（突起孔部２１ａに入り係止される）。
なお、スライドピン２５は、突起孔部２１ａに当接した状態において、その先端が内軸本体２１から突出するようになされている。そして、スライドピン２５が、ガイド孔２１ａの突起孔部２１ａに当接した場合、スライドピン２５の先端が、外軸部１の内周面の２面幅部（図３に示す直線部１２と、曲線部１３との境界）に圧入される。
このように、本実施形態によれば、ペン先３１を繰り出すために、図９に示す位置までつまみ２３を回転させた場合、スライドピン２５がガイド孔２１ａの突起孔部２１ａ１により係止されると共に、スライドピン２５の先端が、外軸部１の内周面の２面幅部に圧入される。これにより、ペン先３１を繰り出した状態が固定される。
【００３４】
また、図９に示す位置までつまみ２３を回転させた場合、図７に示すように、リフィール筒２４のガイド孔２４ａ３の上端に、固定ピン２７が当接するため、リフィール筒２４の下方向（Ｙ２方向）の動作が制限される（これにより、ペン先３１が外軸部1の下端から出過ぎないようになる）。
【００３５】
つぎに、本実施形態の繰り出し式筆記具Ｗのリフィール３の交換手順について、図１１に基づいて説明する。
図１１は、本発明の実施形態のリフィール交換の手順を示した模式図である。また、図１１（ａ）は、リフィール３が装着された繰り出し式筆記具Ｗを示し、図１１（ｂ）および図１１（ｃ）は、外軸部１から内軸部２を引き抜いている際の繰り出し式筆記具Ｗを示し、図１１（ｄ）は、内軸部２にリフィール３を着脱している際の内軸部２およびリフィール３を示し、図１１（ｅ）は、外軸部１に、内軸部２を装着している際の繰り出し式筆記具Ｗを示している。
【００３６】
具体的には、リフィール３を交換する際には、先ず、ユーザは、図１１（ａ）に示す繰り出し式筆記具Ｗのつまみ２３を上方に引っ張り、図１１（ｂ）および図１１（ｃ）に示すように、外軸部１から、リフィール３を装着している内軸部２を引き抜く。
つぎに、ユーザは、図１１（ｄ）に示すように、内軸部２のリフィール筒２４（図４、６参照）に装着されているリフィール３を引き抜く。そして、内軸部２の下端の開口２４ｂ１（図５、７参照）に、新たなリフィール３の後端を挿入し、内軸部２にリフィール３を取り付ける。
そして、ユーザは、図１１（ｅ）に示すように、外軸部１の上端の開口１ａに、リフィール３を装着した内軸部２を挿入して、外軸部１に内軸部２を取り付ける。
【００３７】
以上説明したように、本実施形態の繰り出し式筆記具Ｗは、リフィール３を交換する際に、上述した従来技術のように、２つの部品を螺合して組み立てられた本体部を回転させて分解する必要がなく、外軸部１から内軸部２を引き抜くだけで、リフィールを取り出せるため、簡単にリフィール３の交換を行うことができる。
また、本実施形態によれば、リフィール３の交換を行う場合に、３つの部品（外軸部１、内軸部２、リフィール３）を取り扱うだけでいいため、リフィール交換の作業が簡素化される。
【００３８】
また、本実施形態では、ボールペンのペン先３１を繰り出すための機構を内軸部２の中に収容しているため、例えば、上述した図１３のように、外軸部側に、ペン先を繰り出すための構成を設ける必要がない（図１３では、本体と、キャップとを回転させることもより、ペン先を繰り出していた）。
そのため、本実施形態では、外軸部２の外観をデザインする際、構造上の制約を受けることないため、デザインの自由度が高まる。
【００３９】
また、本実施形態は、ボールペンのペン先３１を繰り出すための機構が内軸部２の内部に収容されていると共に、ユーザが簡単に内軸部２を分解できないように形成されている（スライドピン２５および固定ピン２７により、内軸本体２に、内部部品（回転軸２２、リフィール筒２４等）が固定されているため簡単に分解できない）。そのため、リフィール３を交換するときに、リフィール３の交換に関係ない部品を誤って分解してしまう可能性が軽減される。
【００４０】
また、本実施形態の繰り出し式筆記具Ｗは、つまみ２３を鍵の開閉操作のように、略直角に回転させるという少ない動作でボールペンのペン先３１の出し入れができる。すなわち、本実施形態によれば、ペン先３１を容易に繰り出すことができる操作性の優れた筆記具を提供することができる。
【００４１】
また、本実施形態の繰り出し式筆記具Ｗは、リフィール筒２４の円筒部２４ｂを汎用品のリフィールに対応する形状に形成することにより、汎用品のリフィールを利用することができる。
そのため、本実施形態によれば、繰り出し式筆記具Ｗの開発にあたり、専用品のリフィールを設ける必要がない（開発コストが抑制される）。また、汎用品のリフィールを取り付けることができるため、ユーザにとり便利である。
また、本実施形態に繰り出し式筆記具Ｗによれば、内軸部２のカム機構により、ペン先３１を繰り出すようにしているため、構造上の理由から、筆記具自体を大型化する必要がない。そのため、本実施形態の繰り出し式筆記具Ｗは、従来技術の筆記具と同等の軸径で構成できるため、収納性に優れた筆記具を提供できる。
【００４２】
なお、本発明は、上述した実施形態に限定されるものではなく、その要旨の範囲内において種々の変更が可能である。
例えば、上述した実施形態では、繰り出し式筆記具がボールペンである場合について説明したが、あくまでもこれは例示に過ぎない。本発明は、ボールペン以外の筆記具についても同様に適用される。
【図面の簡単な説明】
【００４３】
【図１】本発明の実施形態の繰り出し式筆記具の外観図である。
【図２】本発明の実施形態の繰り出し式筆記具の部品展開図である。
【図３】図２に示す外軸部の内径形状を示した模式図である。
【図４】本発明の実施形態の繰り出し式筆記具がペン先を収納した状態の断面図である。
【図５】図４の断面図から内軸部を取り出して拡大して示した図である。
【図６】本発明の実施形態の繰り出し式筆記具がペン先を繰り出した状態の断面図である。
【図７】図６の断面図から内軸部を取り出して拡大して示した図である。
【図８】図５に示した内軸部の外観図である。
【図９】図７に示した内軸部の外観図である。
【図１０】本実施形態の繰り出し式筆記具の内軸部を構成するリフィール筒の斜視図である。
【図１１】本発明の実施形態の繰り出し式筆記具のリフィール交換の手順を示した模式図である。
【図１２】従来技術によるリフィール交換が可能な繰り出し式筆記具の斜視図である。
【図１３】従来技術によるリフィール交換が可能な繰り出し式筆記具の斜視図である。
【符号の説明】
【００４４】
Ｗ…繰り出し式筆記具
１…外軸部
１ａ、１ｂ…開口
１ｃ…貫通孔
１１…クリップ
１２…直線部
１３…曲線部
２…内軸部
２１…内軸本体
２１ａ…ガイド孔
２１ａ１…突起孔部
２１ｂ…挿入孔
２１ｃ…凹状部
２１ｄ…案内孔
２２…回転軸
２２ａ…先端軸
２２ｂ…カム面
２３…つまみ
２３ａ…取付穴
２４…リフィール筒
２４ａ…押出部
２４ａ１…カム面
２４ａ２…鍔部
２４ａ３…ガイド孔
２４ｂ…円筒部
２４ｂ１…開口
２４ｂ２…収容部
２５…スライドピン
２６…スプリング
２７…固定ピン
２８…蓋体
【図１】
2010046837.tif 000003
【図２】
2010046837.tif 000004
【図３】
2010046837.tif 000005
【図４】
2010046837.tif 000006
【図５】
2010046837.tif 000007
【図６】
2010046837.tif 000008
【図７】
2010046837.tif 000009
【図８】
2010046837.tif 000010
【図９】
2010046837.tif 000011
【図１０】
2010046837.tif 000012
【図１１】
2010046837.tif 000013
【図１２】
2010046837.tif 000014
【図１３】
2010046837.tif 000015